(57)【要約】【課題】遠赤外線発生部材を構成する各遠赤外線発生片の幅方向の自由度を増すことで、着用時における遠赤外線発生部材による圧迫感をより少なくし、長時間の使用に適する腰部サポーターを提供する。【解決手段】本体部４の内面と通気性布地１４との間に配置された遠赤外線発生部材３を矩形状に裁断した多数の遠赤外線発生片９から形成し、各遠赤外線発生片９を本体部４の内面に幅方向に密接するように列設し、各遠赤外線発生片９幅方向中間位置を長手方向に延びる縫着線１５により本体部４に縫着する。【選択図】図１
2008194150.tif 000002
【特許請求の範囲】
【請求項１】
本体部と本体部の一端に連設された取付部と本体部の他端に連設された伸縮性取付部とを有するベルトと、本体部を覆うように本体部の内面に取り付けられた通気性布地と、本体部の内面と通気性布地との間に配置された遠赤外線発生部材と、本体部の一端に連設された取付部の外面に取り付けられた雌型面ファスナーと、本体部の他端に連設された伸縮性取付部の内面に取り付けられた雄型面ファスナーとを有する腰部サポータにおいて、
上記遠赤外線発生部材は、遠赤外線発生材料を発泡樹脂材料に混入して成形される発泡樹脂シートを矩形状に裁断した多数の遠赤外線発生片から形成され、各遠赤外線発生片は、本体部の内面に幅方向に密接するように列設され、幅方向中間位置を長手方向に延びる縫着線により本体部に縫着されたことを特徴とする腰部サポーター。
【請求項２】
遠赤外線発生片は、長手方向に間隔を置いて切り込みまたは折れ目を有することを特徴とする請求項１に記載の腰部サポーター。
【請求項３】
遠赤外線発生片は、発泡樹脂シートの両面に布片を有することを特徴とする請求項１または２に記載の腰部サポーター。
【請求項４】
遠赤外線発生材料はトルマリン粉末であり、発泡樹脂材料は発泡ポリエチレン樹脂材料であることを特徴とする請求項１ないし３のいずれか１項に記載の腰部サポーター。
【発明の詳細な説明】
【技術分野】
【０００１】
本発明は、着用時における違和感をなくしながら遠赤外線発生部材からでる遠赤外線により着用者の腰部の疲労感を軽減することができる腰部サポーターに関する。
【背景技術】
【０００２】
遠赤外線発生部材からでる遠赤外線により着用者の腰部の疲労感を軽減することができる腰部サポーターは知られている。
【０００３】
遠赤外線発生物質がコーティングされたニット地を内装した腰当て体とこの腰当て体に取り付けられたベルト体から構成され、腰当て体を人体の腰部に押し当て、遠赤外線放射物質から出る遠赤外線を患部に放射するにより、腰部の疲労感や腰痛を軽減するようにした腰痛治療用巻きベルトは、特許文献１に記載されている。
【０００４】
また、セラミック粉末を樹脂材料に混入したセラミック素地の両面に黒色布地と遠赤外線反射布地を設けた遠赤外線反射シートを毛糸で作った腹巻き主体に取り付け、所望の遠赤外線量を放射するようにした腹巻きは、特許文献２に記載されている。
【特許文献１】特開平８−１３１４６７号公報
【特許文献２】実開平３−  ７８００５号公報
【発明の開示】
【発明が解決しようとする課題】
【０００５】
上記腰痛治療用巻きベルトは、遠赤外線発生物質をニット地にコーティングしているので、ニット地にコーティングされる遠赤外線放射物質は少量であり、遠赤外線放射物質から出る遠赤外線放射量も少ないために、遠赤外線による所望の腰痛治療効果を得ることができない場合がある。
【０００６】
上記腹巻きは、遠赤外線反射シートから所望の遠赤外線を放射することはできるものの、遠赤外線反射シートが柔軟性に欠けるために、着用時に遠赤外線反射シートが着用者に圧迫感を与え、長時間の使用に適していないという問題点がある。
【０００７】
本発明の目的は、着用時における遠赤外線発生部材による圧迫感をなくし、長時間の使用を可能にする腰部サポーターを提供することである。
【課題を解決するための手段】
【０００８】
本発明による腰部サポーターは、本体部の内面と通気性布地との間に配置された遠赤外線発生部材が遠赤外線発生材料を発泡樹脂材料に混入して成形される発泡樹脂シートを矩形状に裁断した多数の遠赤外線発生片から形成され、各遠赤外線発生片は、本体部の内面に幅方向に密接するように列設され、幅方向中間位置を長手方向に延びる縫着線により本体部に縫着されている。
【発明の効果】
【０００９】
本発明によれば、遠赤外線発生部材を構成する遠赤外線発生片を幅方向中間位置を長手方向に延びる縫着線により本体部に縫着したことで、遠赤外線発生片の幅方向の自由度が増し、本体部に縫着した遠赤外線発生部材の幅方向の柔軟性が確保されるので、着用時における遠赤外線発生部材による圧迫感を少なくし、長時間の使用に適し、遠赤外線による着用者の腰部の疲労感を軽減することができる。
【００１０】
また、本発明によれば、遠赤外線発生片に長手方向に間隔を置いて切り込みまたは折れ目を設けることで、遠赤外線発生部材は長手方向における柔軟性が増し、着用時における遠赤外線発生部材による圧迫感をより少なくし、着用者の腰部の疲労感を軽減するる。
【発明を実施するための最良の形態】
【００１１】
以下、本発明に係る腰部サポーターーの実施の形態を図面により説明する。
図１は、本発明に係る腰部サポーターの一部を破いて示す平面図である。図２は、本発明に係る腰部サポーターの斜視面図である。
【００１２】
本発明に係る腰部サポーター１は、図１に示すように、着用者の腰部の周りに取り付けられるベルト２と、このベルト２の中央部内面に取り付けられた遠赤外線発生部材３とから構成さる。
【００１３】
上記ベルト２は、図１に示すように、着用者の腰部に対面する本体部４と、本体部４の一端に連設された取付部５と、本体部４の他端に連設された伸縮性取付部６とを有する。本体部４は、厚地の通気性に富む編地により形成される。取付部５は通気性に富む編地により形成される。伸縮性取付部６はポリウレタン糸を用いた弾性編地により形成される。取付部５の外面には、外面全体を覆うように面ファスナーを構成する雌型面ファスナー７が取り付けられている。伸縮性取付部６の端部内面には、面ファスナーを構成する雄型面ファスナー８が取り付けられている。
【００１４】
上記腰部サポーター１は、ベルト２を着用者の腰部の周りに配置し、伸縮性取付部６に設けた雄型面ファスナー８を取付部５に設けた雌型面ファスナー８に係止することで着用者の腰部の周りに取り付けられる。
【００１５】
上記遠赤外線発生部材３は、図１および図２に示すように、幅方向に互いに密接するように列設された多数の遠赤外線発生片９から形成される。各遠赤外線発生片９は、トルマリンや酸化金属を含む遠赤外線発生材料の粉末を発泡ポリエチレン樹脂材料に混入した樹脂材料により成形された発泡樹脂シートを矩形状に裁断することで形成される。発泡樹脂シートは、図４に示すように、発泡樹脂層１０とこの発泡樹脂層１０の両面に接合された布層１１，１２から形成される。
【００１６】
上記遠赤外線発生片９は、長さが１５０〜２２０ｍｍ好ましくは、長さが１８０〜２００ｍｍで、幅が２０〜５０ｍｍであり好ましくは幅が３０〜４０ｍｍの短冊状であり、長手方向に間隔をおいて２つの切り込み１３，１３を有する。遠赤外線発生片９は、切り込み１３を設けたことで長手方向の柔軟性が増加する。遠赤外線発生片９に設けた切り込み１３の数は必要に応じて可変される。切り込みは折り目であってもよい。
【００１７】
上記遠赤外線発生部材３を構成する多数の遠赤外線発生片９は、本体部４の内面に幅方向に互いに密接するように列設される。遠赤外線発生部材３の上に通気性布地１４が配置される。遠赤外線発生部材３は、遠赤外線発生片９の幅方向中間位置を図示しないミシン機により形成される長手方向に延びる縫着線１５により各遠赤外線発生片９を本体部４および通気性布地１４に縫着することでを本体部４に取り付けられる。このように、遠赤外線発生部材３は、列設された遠赤外線発生片９の幅方向中間位置を縫着線１５により本体部４に縫着したことで、幅方向の柔軟性を確保することができる。
【００１８】
次に、本発明に係る腰部サポーター１の使用方法について述べる。  
本発明に係る腰部サポーター１は、図２に示すように、遠赤外線発生部材３を設けた面を内側にして着用者の腰部の周りに配置され、ベルト２の本体部４を着用者の腰部の背面に整合するように位置させる。
【００１９】
腰部サポーター１は、ベルト２の取付部５を着用者の腹部に位置させるとともに、ベルト２の伸縮性取付部６を伸ばしながら、ベルト２の取付部５の上に位置させ、伸縮性取付部６に設けた雄型面ファスナー片７を取付部５に設けた雌型面ファスナー７に係止する。
腰部サポーター１は、伸縮性取付部６に設けた雄型面ファスナー７を取付部５の全面に設けた雌型面ファスナー７の適当位置に係止することで、着用者の腰部の周りに適当な弾性をもって取り付けられる。
【００２０】
遠赤外線発生部材３を構成する多数の遠赤外線発生片９は、互いに密接するように本体部４の上に列設され、各遠赤外線発生片９は、幅方向中間位置を長手方向に延びる縫着線１５により本体部４に縫着されている。したがって、本体部４に設けた遠赤外線発生部材は、適度の柔軟性を持って腰部背面に柔軟に密着し、着用者に違和感を与えることはほとんどない。
【００２１】
本発明に係る腰部サポーター１は、遠赤外線発生部材３を着用者の腰部に違和感なく密着することで、着用者に違和感を与えることなく長時間の使用に適し、遠赤外線発生部材３から発する遠赤外線を着用者の腰部に導くことにより着用者の腰部の疲労感を軽減することができる。
【図面の簡単な説明】
【００２２】
【図１】本発明に係る腰部サポーターの一部を破いて示す平面図である。
【図２】本発明に係る腰部サポーターの斜視面図である。
【図３】本発明に係る腰部サポーターの遠赤外線発生片の平面図である。
【図４】本発明に係る腰部サポーターの遠赤外線発生片の断面図である。
【符号の説明】
【００２３】
１  腰部サポーター
２  ベルト
３  遠赤外線発生部材
４  本体部
９  遠赤外線発生片
１４  通気性布地
１５  縫着線
【図１】
2008194150.tif 000003
【図２】
2008194150.tif 000004
【図３】
2008194150.tif 000005
【図４】
2008194150.tif 000006